(57)【要約】      （修正有）【課題】回動部が存在せず、積載資材によってあおり止めピンが使用できなくなるといったトラブルを防止できるあおり止めピンを提供する。【解決手段】ダンプトラックの荷台部にヒンジ部を介して取り付けられるあおり板８を、荷台部が載置される基台部に対して固定するあおり止めピン１００であって、基台部側貫通穴２３とあおり板側貫通穴３３の双方に挿通される円柱状棹部１１１と、円柱状棹部から延在すると共に、基台部側貫通穴とあおり板側貫通穴に挿通されない寸法を有するループ状第１ヘッド部１１３と、ループ状第１ヘッド部が設けられていない方の端部１１５に対して円柱状磁石部材１２５の磁力によって取り付けられ、基台部側貫通穴とあおり板側貫通穴に挿通されない寸法を有する第２ヘッド部１２０と、からなる。【選択図】図３
0003209913.tif 000002
【実用新案登録請求の範囲】
【請求項１】
ダンプトラックの荷台部にヒンジ部を介して取り付けられるあおり板を、前記荷台部が載置される基台部に対して固定するあおり止めピンにおいて、
基台部側貫通穴とあおり板側貫通穴の双方に挿通される円柱状棹部と、
前記円柱状棹部から延在すると共に、前記基台部側貫通穴と前記あおり板側貫通穴に挿通されない寸法を有する第１ヘッド部と、
前記円柱状棹部の前記第１ヘッド部が設けられていない方の端部に対して磁力によって取り付けられ、前記基台部側貫通穴と前記あおり板側貫通穴に挿通されない寸法を有する第２ヘッド部と、
からなることを特徴とするあおり止めピン。
【請求項２】
前記第２ヘッド部には、円柱状磁石部材が埋め込まれることを特徴とする請求項１に記載のあおり止めピン。
【請求項３】
前記円柱状磁石部材がネオジウム磁石からなることを特徴とする請求項２に記載のあおり止めピン。
【請求項４】
ワイヤーの一方の端部に前記第１ヘッド部が取り付けられ、
前記ワイヤーの他方の端部に前記第２ヘッド部が取り付けられることを特徴とする請求項１乃至請求項３のいずれか１項に記載のあおり止めピン。
【考案の詳細な説明】
【技術分野】
【０００１】
本考案は、ダンプトラックなどの荷台が設けられた車両における荷台のあおり板を固定するあおり止めピンに関する。
【背景技術】
【０００２】
ダンプトラックなどの荷台が設けられた車両において、荷台にあおり板を設けたものが従来より知られている。例えば、特許文献１（特開２００４−３４８７９号公報）には、ダンプカーの荷台２において、ゲートフレーム３とリヤドア５から構成され、ゲートフレーム３は荷台２における左あおり２Ｂと右あおり２Ｃの上部後端を支点として開閉自在に取付けられ、リヤドア５はゲートフレーム３に対してゲートフレーム３の下端を支点として起伏自在に取付けられている。
【０００３】
ここで、従来一般的に用いられていたあおり板８を固定するためのあおり止めピン４０の構成について説明する。
【０００４】
図４及び図５は共にダンプトラック１を示す図である。ダンプトラック１は基台部３を有しており、その上に荷台部５が載置されるようになっている。例えば、荷台部５の後方には、ヒンジ部７を介して、あおり板８が回動可能に取り付けられている。図５は不図示の機構によって、荷台部５を傾斜（ダンプアップ）させて、あおり板８を開放し、例えば土砂などの積載物を荷下ろしする様子を示している。
【０００５】
一方、図４は、荷台部５に積載した荷物が落下しないように、あおり板８を基台部３に対して固定した状態を示している。あおり板８の固定のための構成としては、図４の点線で囲まれた箇所に設けられている。
【０００６】
図６はあおり板８の固定のための構成をダンプトラック１の後方から見た図である。図６は、あおり板８によって荷台部５が遮蔽された状態のとき（図４に示す状態のとき）を示している。
【０００７】
ダンプトラック１の基台部３には、例えば、２つの基台部側突出部２１が設けられている。これらの基台部側突出部２１には、２点鎖線で示される基台部側貫通穴２３が設けられている。一方、あおり板８には、あおり板８によって荷台部５が遮蔽されたとき、２つの基台部側突出部２１の中間部に配されるあおり板側突出部３１が設けられている。このあおり板側突出部３１には、１点鎖線で示されるあおり板側貫通穴３３が設けられる。基台部側貫通穴２３及びあおり板側貫通穴３３の直径Ｄ0は同じに構成される。
【０００８】
このような構成において、あおり板８を基台部３に対して固定するためには、基台部側貫通穴２３及びあおり板側貫通穴３３の双方に、あおり止めピンが抜去不能に取り付けられる。
【０００９】
図７は従来のあおり止めピン４０を示す図である。あおり止めピン４０は鉄製で、基台部側貫通穴２３及びあおり板側貫通穴３３の直径Ｄ0よりやや小さい直径を有する円柱状棹部５１を有している。
【００１０】
円柱状棹部５１の一方の端部には、基台部側貫通穴２３及びあおり板側貫通穴３３を通ることができない寸法を有するヘッド部５２が設けられている。このヘッド部５２には、ループ部５３が設けられており、ダンプトラック１側に一端側（不図示）が取り付けられているチェーン６０の他端側が、ループ部５３を利用して取り付けられており、あおり止めピン４０自体の紛失を防止するようにしている。
【００１１】
一方、円柱状棹部５１の他方の端部には、回動軸５５を中心として、回動可能な回動先端部５７が設けられている。この回動先端部５７が、円柱状棹部５１から一直線状に延びた状態で、図８に示すように、あおり止めピン４０を基台部側貫通穴２３及びあおり板側貫通穴３３の双方に挿入する。
【００１２】
続いて、図９に示すように、回動先端部５７を回動させることで、あおり止めピン４０を基台部側貫通穴２３及びあおり板側貫通穴３３の双方から、抜き去ることを不能とし、あおり板８を基台部３に対して固定する。
【特許文献１】特開２００４−３４８７９号公報
【考案の開示】
【考案が解決しようとする課題】
【００１３】
ダンプトラック１の荷台部５に積載する資材がアスファルトのような粘着物であるような場合、従来のあおり止めピン４０の回動軸５５にこれが付着し、回動先端部５７を回動させることが困難となる、という問題があった。
【００１４】
また、あおり止めピン４０に取り付けられているチェーン６０が破断し、あおり止めピン４０を紛失してしまうようなケースが多かった。あおり止めピン４０を紛失してしまった場合には、あおり止めピン４０の代わりに、ボルトとナットを用いることで、あおり板８を基台部３に対して固定していたが、ボルトとナットにアスファルトのような粘着物が付着すると、ナットを回動し、これをボルトに対して取り付けたり、取り外したりすることが困難となる、という問題もあった。
【００１５】
そこで、本考案の目的は、回動部が存在しない、あおり止めピン１００を提供することにある。
【課題を解決するための手段】
【００１６】
上記のような課題を解決するために、請求項１に係る考案は、ダンプトラックの荷台部にヒンジ部を介して取り付けられるあおり板を、前記荷台部が載置される基台部に対して固定するあおり止めピンにおいて、基台部側貫通穴とあおり板側貫通穴の双方に挿通される円柱状棹部と、前記円柱状棹部から延在すると共に、前記基台部側貫通穴と前記あおり板側貫通穴に挿通されない寸法を有する第１ヘッド部と、前記円柱状棹部の前記第１ヘッド部が設けられていない方の端部に対して磁力によって取り付けられ、前記基台部側貫通穴と前記あおり板側貫通穴に挿通されない寸法を有する第２ヘッド部と、からなることを特徴とする。
【００１７】
また、請求項２に係る考案は、請求項１に記載のあおり止めピンにおいて、前記第２ヘッド部には、円柱状磁石部材が埋め込まれることを特徴とする。
【００１８】
また、請求項３に係る考案は、請求項２に記載のあおり止めピンにおいて、前記円柱状磁石部材がネオジウム磁石からなることを特徴とする。
【００１９】
また、請求項４に係る考案は、請求項１乃至請求項３のいずれか１項に記載のあおり止めピンにおいて、ワイヤーの一方の端部に前記第１ヘッド部が取り付けられ、前記ワイヤーの他方の端部に前記第２ヘッド部が取り付けられることを特徴とする。
【考案の効果】
【００２０】
本考案のあおり止めピンは、円柱状棹部の第１ヘッド部が設けられていない方の端部に対して磁力によって取り付けられる第２ヘッド部が用いられており、このような本考案のあおり止めピンによれば、回動部などの可動部が存在せず、荷台部に積載する資材によってあおり止めピンが使用できなくなるといったトラブルを防止することができる。
【図面の簡単な説明】
【００２１】
【図１】本考案の実施形態に係るあおり止めピン１００を示す図である。
【図２】本考案の実施形態に係るあおり止めピン１００を示す図である。
【図３】本考案の実施形態に係るあおり止めピン１００によってあおり板８を固定している様子を示す図である。
【図４】荷台部５に荷物を積載し、あおり板８を固定した状態を示す図である。
【図５】荷下ろしのために荷台部５を傾斜させ、あおり板８を開放した状態を示す図である。
【図６】あおり板８の固定のための構成をダンプトラック１の後方から見た図である。
【図７】従来のあおり止めピン４０を示す図である。
【図８】基台部側貫通穴２３及びあおり板側貫通穴３３の双方にあおり止めピン４０が挿入された状態を示す図である。
【図９】あおり止めピン４０が抜去不能とされた状態を示す図である。
【考案を実施するための形態】
【００２２】
以下、本考案の実施の形態を図面を参照しつつ説明する。図１及び図２は本考案の実施形態に係るあおり止めピン１００を示す図である。本考案に係るあおり止めピン１００は、ダンプトラック１の荷台部５にヒンジ部７を介して取り付けられるあおり板８を、荷台部５が載置される基台部３に対して固定するものである。
【００２３】
なお、本実施形態においても、背景技術の説明同様、あおり板８の上方側にヒンジ部７が設けられ、あおり板８の下方であおり止めピン１００によって、あおり板８を基台部３に対して固定する例を想定して説明するが、本考案に係るあおり止めピン１００は、あおり板８の下方側にヒンジ部が設けられ、あおり板８の上方であおり止めピン１００によって、あおり板８を固定する構成にも採用され得ることは言うまでもない。
【００２４】
また、本考案に係るあおり止めピン１００は、ダンプトラック１の荷台部５後方におけるあおり板８の固定に対する使用に限定されるものではなく、荷台部５の側方に設けられるあおり板に対しても使用することが可能である。
【００２５】
本考案に係るあおり止めピン１００は、主として、第１のヘッドを有する主棹部材１１０と、第２ヘッド部１２０と、ワイヤー部材１３０とから構成されている。
【００２６】
主棹部材１１０は鉄製で、基台部側貫通穴２３及びあおり板側貫通穴３３の直径Ｄ0よりやや小さい直径Ｄ1を有する円柱状棹部１１１を有している。円柱状棹部１１１は、基台部側貫通穴２３及びあおり板側貫通穴３３の双方に挿通されることが想定されるものである。
【００２７】
円柱状棹部１１１の一方端側には、円柱状棹部１１１から延在すると共に、基台部側貫通穴２３及びあおり板側貫通穴３３に挿通されない寸法Ｄ2を有するループ状第１ヘッド部１１３が設けられている。一方、円柱状棹部１１１の他方端側の端部１１５は、平面状とされている。
【００２８】
第２ヘッド部１２０には、円柱状のネオジウム磁石など材料からなる円柱状磁石部材１２５が埋め込まれている金属製の部材である。本考案に係るあおり止めピン１００においては、円柱状磁石部材１２５として強力なネオジウム磁石を用いることが好適であるが、その他の材料の磁石を用いても構わない。
【００２９】
第２ヘッド部１２０の円柱状磁石部材１２５が埋め込まれていない方の端部からは、ループ部１２７が延在するように設けられている。第２ヘッド部１２０は、基台部側貫通穴２３及びあおり板側貫通穴３３に挿通されない寸法Ｄ3を有している。
【００３０】
主棹部材１１０の円柱状棹部１１１の平面状の端部１１５には、第２ヘッド部１２０の円柱状磁石部材１２５が吸着し固着することが想定されている。主棹部材１１０の円柱状棹部１１１を、基台部側貫通穴２３及びあおり板側貫通穴３３に挿通する際には、図２に示すように、円柱状棹部１１１の端部１１５から、第２ヘッド部１２０を分離する。
【００３１】
かしめ部１３５が設けられることで、ワイヤー部材１３０の一方の端部には、ループ状第１ヘッド部１１３が取り付けられている。また、ワイヤー部材１３０の他方の端部においても、かしめ部１３５が設けられることで、第２ヘッド部１２０のループ部１２７が取り付けられている。
【００３２】
なお、このようなワイヤー部材１３０が設けられていることで、主棹部材１１０と、第２ヘッド部１２０とが分離されているとき、主棹部材１１０、第２ヘッド部１２０を紛失してしまうようなことを防止することができる。ただし、このようなワイヤー部材１３０は、必ずしも必須のものではない。
【００３３】
また、ループ状第１ヘッド部１１３などを利用して、従来同様のチェーン６０を介して、あおり止めピン１００を、ダンプトラック１側に取り付けるような構成としておいてもよい。
【００３４】
以上のように構成される本考案に係るあおり止めピン１００により、あおり板８を基台部３に対して固定する際には、まず、円柱状棹部１１１の端部１１５から、第２ヘッド部１２０を分離した上で、基台部側貫通穴２３及びあおり板側貫通穴３３の双方に主棹部材１１０の円柱状棹部１１１を挿通する。
【００３５】
続いて、図９に示すように、円柱状棹部１１１の端部１１５に対して、円柱状磁石部材１２５の磁力により、第２ヘッド部１２０を取り付けるようにする。これにより、あおり板８を基台部３に対して固定されることとなる。
【００３６】
以上、本考案のあおり止めピン１００は、円柱状棹部１１１のループ状第１ヘッド部１１３が設けられていない方の端部１１５に対して磁力によって取り付けられる第２ヘッド部１２０が用いられており、このような本考案のあおり止めピン１００によれば、回動部などの可動部が存在せず、荷台部５に積載する資材によって、あおり止めピンが使用できなくなるといったトラブルを防止することができる。
【符号の説明】
【００３７】
１・・・ダンプトラック
３・・・基台部
５・・・荷台部
７・・・ヒンジ部
８・・・あおり板
２１・・・基台部側突出部
２３・・・基台部側貫通穴
３１・・・あおり板側突出部
３３・・・あおり板側貫通穴
４０・・・あおり止めピン（従来）
５１・・・円柱状棹部
５２・・・ヘッド部
５３・・・ループ部
５５・・・回動軸
５７・・・回動先端部
６０・・・チェーン
１００・・・あおり止めピン（本考案）
１１０・・・主棹部材
１１１・・・円柱状棹部
１１３・・・ループ状第１ヘッド部
１１５・・・端部
１２０・・・第２ヘッド部
１２５・・・円柱状磁石部材
１２７・・・ループ部
１３０・・・ワイヤー部材
１３５・・・かしめ部
【図１】
0003209913.tif 000003
【図２】
0003209913.tif 000004
【図３】
0003209913.tif 000005
【図４】
0003209913.tif 000006
【図５】
0003209913.tif 000007
【図６】
0003209913.tif 000008
【図７】
0003209913.tif 000009
【図８】
0003209913.tif 000010
【図９】
0003209913.tif 000011